(57)【要約】【課題】天板の支持状態の信頼性を高めると共に、天板側へ送られる空気の流動抵抗の増大を抑える。【解決手段】空気清浄機は、前面部に設けられた空気吸込口と、背面部に設けられた空気吹出口と、空気吸込口と空気吹出口とを繋ぐ通風路とが設けられた筐体を有し、筐体内に、取り込んだ空気を清浄化する空気清浄部と、空気吸込口から空気吹出口へ空気を送る送風機と、を備える。筐体の上部には天板が設けられ、空気吹出口は、天板の背面部側に設けられた天面吹出口を有し、天板の下方には、空気清浄部で清浄化された空気を天面吹出口へ導く導風板が設けられる。導風版は、筐体の内部を前後に仕切る平板部と、平板部の上端における前面部側に形成されたフランジ部と、フランジ部の下方に連結されてフランジ部を補強する補強リブとを有する。天板は、導風板のフランジ部に当接して支持される。【選択図】図４
2019174037.tif 000002
【特許請求の範囲】
【請求項１】
前面部に設けられた空気吸込口と、背面部に設けられた空気吹出口と、前記空気吸込口と前記空気吹出口とを繋ぐ通風路とが設けられた筐体を有し、
前記筐体内に、取り込んだ空気を清浄化する空気清浄部と、前記空気吸込口から前記空気吹出口へ空気を送る送風機と、を備えた空気清浄機であって、
前記筐体の上部には天板が設けられ、
前記空気吹出口は、前記天板の前記背面部側に設けられた天面吹出口を有し、
前記天板の下方には、前記空気清浄部で清浄化された空気を前記天面吹出口へ導く導風板が設けられ、
前記導風板は、前記筐体の内部を前後に仕切る平板部と、前記平板部の上端における前記前面部側に形成されたフランジ部と、前記フランジ部の下方に連結されて前記フランジ部を補強する補強リブと、を有し、
前記天板は、前記導風板の前記フランジ部に当接して支持される、空気清浄機。
【請求項２】
前記導風板は、前記平板部の前記背面部側が平坦面に形成されている、
請求項１に記載の空気清浄機。
【請求項３】
前記天板には、前記導風板の前記フランジ部が挟み込まれる凹部が設けられている、
請求項１または請求項２に記載の空気清浄機。
【請求項４】
前記導風板の前記補強リブには、配線を保持する保持部が形成されている、
請求項１ないし請求項３のいずれか１項に記載の空気清浄機。
【請求項５】
前記筐体は、前記天板側に向かうにつれて開口が広がるように形成された拡大部を有し、
前記拡大部は、当該拡大部の上端が前記天板の外周部を支持すると共に、当該拡大部の内側面に当該拡大部を補強する第２の補強リブが設けられている、
請求項１ないし請求項４のいずれか１項に記載の空気清浄機。
【発明の詳細な説明】
【技術分野】
【０００１】
本発明は、空気清浄機に関する。
【背景技術】
【０００２】
空気清浄機としては、筐体の上部に設けられた天板が吹出口を有するものが知られている。このような天板は、吹出口を有することで機械的強度が低下する傾向にある。
【先行技術文献】
【特許文献】
【０００３】
【特許文献１】特開２０１６−２１７６０４号公報
【発明の概要】
【発明が解決しようとする課題】
【０００４】
上述のような空気清浄機では、空気清浄機の取り扱い時に使用者が天板に手をつく等により、天板を下方へ押し込んでしまう場合がある。このような場合には、天板が筐体の内側へ撓み、天板や筐体等を破損するおそれがあるので、天板の支持状態の信頼性を高めることが望ましい。しかし、天板の支持状態を補強する補強構造を追加した場合には、補強構造によって、天板の吹出口へ送られる空気の流れが妨げられるおそれがある。
【０００５】
開示の技術は、上記に鑑みてなされたものであって、天板の支持状態の信頼性を高めると共に、天板側へ送られる空気の流動抵抗の増大を抑えることができる空気清浄機を提供することを目的とする。
【課題を解決するための手段】
【０００６】
本願の開示する空気清浄機の一態様は、前面部に設けられた空気吸込口と、背面部に設けられた空気吹出口と、空気吸込口と空気吹出口とを繋ぐ通風路とが設けられた筐体を有し、筐体内に、取り込んだ空気を清浄化する空気清浄部と、空気吸込口から空気吹出口へ空気を送る送風機と、を備える。筐体の上部には天板が設けられ、空気吹出口は、天板の背面部側に設けられた天面吹出口を有し、天板の下方には、空気清浄部で清浄化された空気を天面吹出口へ導く導風板が設けられる。導風板は、筐体の内部を前後に仕切る平板部と、平板部の上端における前面部側に形成されたフランジ部と、フランジ部の下方に連結されてフランジ部を補強する補強リブと、を有する。天板は、導風板のフランジ部に当接して支持される。
【発明の効果】
【０００７】
本願の開示する空気清浄機の一態様によれば、天板の支持状態の信頼性を高めると共に、天板側へ送られる空気の流動抵抗の増大を抑えることができる。
【図面の簡単な説明】
【０００８】
【図１】図１は、実施例の空気清浄機の外観を示す斜視図である。
【図２】図２は、実施例の空気清浄機を示す平面図である。
【図３】図３は、実施例の空気清浄機を背面パネル側から示す背面図である。
【図４】図４は、実施例の空気清浄機を示すＡ−Ａ断面図である。
【図５】図５は、実施例の空気清浄機を示すＢ−Ｂ断面図である。
【図６】図６は、実施例の空気清浄機の本体筐体の内部を示す縦断面斜視図である。
【図７】図７は、実施例の空気清浄機の天面パネルを内側から示す斜視図である。
【図８】図８は、実施例の空気清浄機の天面パネルを内側から示す平面図である。
【図９】図９は、実施例の空気清浄機の導風板が天面パネルを支持する状態を示す斜視図である。
【図１０】図１０は、実施例の空気清浄機の導風板を前面パネル側から示す斜視図である。
【図１１】図１１は、実施例の空気清浄機の導風板を前面パネル側から示す平面図である。
【図１２】図１２は、実施例の空気清浄機の導風板を背面パネル側から示す斜視図である。
【図１３】図１３は、実施例の空気清浄機の導風板を背面パネル側から示す平面図である。
【発明を実施するための形態】
【０００９】
以下に、本願の開示する空気清浄機の実施例を図面に基づいて詳細に説明する。なお、以下の実施例によって、本願の開示する空気清浄機が限定されるものではない。
【実施例】
【００１０】
（空気清浄機の構成）
図１は、実施例の空気清浄機の外観を示す斜視図である。図１に示すように、実施例の空気清浄機１は、本体筐体１１を備えている。本体筐体１１は、合成樹脂材料等により、略直方体状に形成されている。本体筐体１１は、前面部としての前面パネル１１ａ、背面部としての背面パネル１１ｂ、左側面パネル１１ｃ、右側面パネル１１ｄ、天板としての天面パネル１１ｅ、底面部１１ｆを備えている。底面部１１ｆは、本体筐体１１の下部を形成しており、空気清浄機１が設置される設置面に載置される。図１以降において、空気清浄機１の幅方向をＸ軸方向、空気清浄機１の前後方向（奥行方向）をＹ軸方向、空気清浄機１の高さ方向をＺ軸方向として示す。
【００１１】
前面パネル１１ａと背面パネル１１ｂは、図１に示すように、対向するように配置されることにより本体筐体１１の前面部と背面部を形成しており、左側面パネル１１ｃ、右側面パネル１１ｄ、天面パネル１１ｅ、底面部１１ｆに組み付けられている。前面パネル１１ａには、空気清浄機１が空気清浄対象の室内の空気を吸い込むための前面吸込口１１ａ１が形成されている。背面パネル１１ｂのＸ軸方向の両端部には、空気清浄機１が前面吸込口１１ａ１から吸い込んだ空気を清浄化した後の空気を吹き出すための左側面吹出口１１ｂ１と右側面吹出口１１ｂ２（図２及び図３参照）とが、Ｚ軸方向に沿って形成されている。本体筐体１１の内部には、前面吸込口１１ａ１と、左側面吹出口１１ｂ１及び右側面吹出口１１ｂ２とを繋ぐ通風路１０が設けられている。
【００１２】
左側面パネル１１ｃと右側面パネル１１ｄは、対向するように配置されることにより本体筐体１１の側面を形成しており、図１に示すように、前面パネル１１ａ、背面パネル１１ｂ、天面パネル１１ｅ、底面部１１ｆに組み付けられている。
【００１３】
天面パネル１１ｅは、本体筐体１１の上部に設けられており、前面パネル１１ａ、背面パネル１１ｂ、左側面パネル１１ｃそれぞれの上端に組み付けられている。天面パネル１１ｅは、前面パネル１１ａ側（前面部側）に配置された前部１１ｅ２と、背面パネル１１ｂ側（背面部側）に配置された後部１１ｅ３と、を有している。天面パネル１１ｅの後部１１ｅ３には、空気清浄機１が前面吸込口１１ａ１から吸い込んだ空気を清浄化した後の空気を吹き出すための天面吹出口１１ｅ１が形成されている。天面吹出口１１ｅ１は、前面吸込口１１ａ１に繋がる通風路１０と繋がっている。
【００１４】
また、天面パネル１１ｅは、本体筐体１１の上端に支持される外周部１１ｅ４と、外周部１１ｅ４から本体筐体１１の内側へ窪んだ天面部１１ｅ５と、を有する。天面部１１ｅ５は、前部１１ｅ２と後部１１ｅ３とに跨って形成されており、天面パネル１１ｅ全体が凹状に形成されている。外周部１１ｅ４は、天面部１１ｅ５に向かって傾斜する漏斗状の傾斜面を有している。天面吹出口１１ｅ１は、天面部１１ｅ５の後部１１ｅ３側に形成されている。
【００１５】
また、天面パネル１１ｅの前部１１ｅ２は、空気清浄機１を操作するための操作部１２と、各種の情報を表示する表示部１３と、を有している。図２に示すように、操作部１２は、本体筐体１１の前面に沿って配列された複数のボタン１２ａを有する。複数のボタン１２ａには、例えば、電源ボタンや運転モード切り換えボタン等を含んでいる。表示部１３は、天面パネル１１ｅの内側に取り付けられており、空気清浄機１の運転状態や、塵埃センサ等の検出器（図示せず）の検出結果を、天面パネル１１ｅを透過して表示する。
【００１６】
天面パネル１１ｅの下方には、天面パネル１１ｅを支持すると共に、通風路１０を流れる空気を天面パネル１１ｅ側へ導く導風板１５が設けられている。導風板１５の構成、及び導風板１５と天面パネル１１ｅとの支持構造については後述する。
【００１７】
図２は、実施例の空気清浄機１を示す平面図である。図３は、実施例の空気清浄機１を背面パネル１１ｂ（背面部）側から示す背面図である。背面パネル１１ｂは、図２及び図３に示すように、前面パネル１１ａが配置される前面側とは反対側の背面側に配置されている。
【００１８】
空気清浄機１は、前面吸込口１１ａ１から本体筐体１１に吸い込んだ空気を、左側面吹出口１１ｂ１、右側面吹出口１１ｂ２、及び天面吹出口１１ｅ１のそれぞれから吹き出すまでに、空気の除塵処理及び脱臭処理を行う。
【００１９】
図４は、実施例の空気清浄機１を示すＡ−Ａ断面図である。図４は、図１中のＡ−Ａ線に沿って示している。図５は、実施例の空気清浄機１を示すＢ−Ｂ断面図である。図５は、図１中のＢ−Ｂ線に沿って示している。図６は、実施例の空気清浄機１の本体筐体１１の内部を示す縦断面斜視図である。本体筐体１１は、図４、図５及び図６に示すように、内部に通風路１０が形成されている。通風路１０は、前面吸込口１１ａ１を、左側面吹出口１１ｂ１と右側面吹出口１１ｂ２と天面吹出口１１ｅ１とに繋げている。
【００２０】
空気清浄機１は、本体筐体１１の内部に設けられるフロントシャーシとしてのホルダ部１００を備えている。また、空気清浄機１は、前面パネル１１ａの前面吸込口１１ａ１から本体筐体１１内に取り込まれた空気を清浄化する空気清浄部としての、プレフィルタ２１、集塵ユニット２２及び脱臭ユニット２３を備えている。また、空気清浄機１は、前面吸込口１１ａ１から、左側面吹出口１１ｂ１、右側面吹出口１１ｂ２及び天面吹出口へ空気をそれぞれ送る送風機２５を備えている。プレフィルタ２１、集塵ユニット２２、脱臭ユニット２３、及び送風機２５は、本体筐体１１の内部の通風路１０に配置されている。
【００２１】
ホルダ部１００は、前面吸込口１１ａ１から吸い込まれて集塵ユニット２２を通過した空気を脱臭ユニット２３の脱臭フィルタ２３ａを通過するように導くガイド部１００−１を有している。ガイド部１００−１は、集塵ユニット２２を通過した空気を脱臭ユニット２３の脱臭フィルタ２３ａへ導く連通部１００−２を有している。連通部１００−２は、通風路１０の一部を構成している。
【００２２】
プレフィルタ２１は、例えば、糸状のＰＥＴ（ポリエチレンテレフタラート）材が編み込まれた網目構造体として形成されている。プレフィルタ２１は、通風路１０における前面パネル１１ａ側に配置されている。プレフィルタ２１は、前面吸込口１１ａ１から本体筐体１１の内部の通風路１０内に吸い込まれる空気中に含まれる塵埃を捕集する。
【００２３】
集塵ユニット２２は、通風路１０におけるプレフィルタ２１の背面側に配置されている。集塵ユニット２２は、ホルダ部１００により保持されている。集塵ユニット２２は、図示しないが、ケース、放電電極及び集塵電極を備える電気集塵機によって構成されている。ケースの内部には、放電電極と集塵電極が支持されている。放電電極は、プレフィルタ２１に捕集されなかった細かな塵埃や花粉等をコロナ放電により帯電させる。集塵電極は、放電電極により帯電された塵埃や花粉等を捕集する。集塵ユニット２２は、放電電極と集塵電極と筐体とで形成された電気集塵機で構成されていることにより、例えば不織布をプリーツ形状に形成してなる他の集塵フィルタに比べて、空気抵抗が小さい。
【００２４】
脱臭ユニット２３は、通風路１０におけるプレフィルタ２１の背面側に配置されている。脱臭ユニット２３は、ホルダ部１００により保持されている。脱臭ユニット２３は、脱臭フィルタ２３ａ、フィルタ再生部２３ｆを備えている。脱臭フィルタ２３ａは、板状に形成されているフィルタである。本実施例における脱臭フィルタ２３ａは、円板状に形成されている。
【００２５】
送風機２５は、通風路１０における脱臭ユニット２３の背面側に配置されている。送風機２５は、ターボファン２５ａ及びファンモータ２５ｂを備えている。ファンモータ２５ｂは、ターボファン２５ａを回転させる。ターボファン２５ａは、合成樹脂材によって形成されており、ファンモータ２５ｂの回転軸に接続されている。送風機２５は、前面吸込口１１ａ１から空気清浄機１の内部へ空気を取り込み、左側面吹出口１１ｂ１、右側面吹出口１１ｂ２、及び天面吹出口１１ｅ１を介して、通風路１０を通過した空気を空気清浄機１の外部に放出する。
【００２６】
プレフィルタ２１は、図５に示すように、中央が前面パネル１１ａ側に向かって凸となるアーチ形状に形成されている。このように形成されたプレフィルタ２１は、プレフィルタ２１が平坦状に形成される場合と比べて、前面吸込口１１ａ１から、本体筐体１１の内部に吸い込まれた空気がプレフィルタ２１を通過する面積が大きい。これにより、プレフィルタ２１は、前面吸込口１１ａ１から本体筐体１１の内部に吸い込まれた空気中から、より多くの塵埃を捕集することができる。
【００２７】
以上のように構成された実施例の空気清浄機１における特徴的な構成について、以下説明する。図４ないし図６に示すように、空気清浄機１は、空気清浄部で清浄化された空気を天面パネル１１ｅの天面吹出口１１ｅ１へ導く導風板１５を備えている。また、導風板１５は、天面パネル１１ｅを下方から支持している。導風板１５は、例えば、合成樹脂材料によって形成されており、天面パネル１１ｅに向かって空気を流す通風路１０の一部を構成している。
【００２８】
まず、導風板１５が天面パネル１１ｅを支持する構造について、天面パネル１１ｅの構成を説明する。図７は、実施例の空気清浄機１の天面パネル１１ｅを内側から示す斜視図である。図８は、実施例の空気清浄機１の天面パネル１１ｅを内側から示す平面図である。図９は、実施例の空気清浄機１の導風板１５が天面パネル１１ｅを支持する状態を示す斜視図である。
【００２９】
図１〜２、図４、及び図７〜８に示すように、天面パネル１１ｅの天面部１１ｅ５の内側には、複数の補強リブ１１ｅ６が格子状に形成されている。天面パネル１１ｅの内側には、導風板１５の後述する平板部１５ａの上端に設けられたフランジ部１５ｃが嵌め込まれる凹部１１ｅ７が形成されている。凹部１１ｅ７は、前部１１ｅ２に設けられた補強リブ１１ｅ６と、後部１１ｅ３に設けられた補強リブ１１ｅ６との間に形成されており、前部１１ｅ２と後部１１ｅ３との境界に沿って、空気清浄機１の幅方向（Ｘ軸方向）にわたって形成されている。
【００３０】
図９に示すように、導風板１５のフランジ部１５ｃの厚み方向（Ｙ軸方向）が凹部１１ｅ７内に挟み込まれることで、導風板１５が、本体筐体１１の内部の奥行き方向（Ｙ軸方向）に対して位置決めされる。また、導風板１５は、本体筐体１１の左側面パネル１１ｃ及び右側面パネル１１ｄにそれぞれ突き当てられることで、本体筐体１１の内部の幅方向（Ｘ軸方向）に対して位置決めされる。
【００３１】
（導風板の構成）
図１０は、実施例の空気清浄機１の導風板１５を前面パネル１１ａ側から示す斜視図である。図１１は、実施例の空気清浄機１の導風板１５を前面パネル１１ａ側から示す平面図である。図１２は、実施例の空気清浄機１の導風板１５を背面パネル１１ｂ側から示す斜視図である。図１３は、実施例の空気清浄機１の導風板１５を背面パネル１１ｂ側から示す平面図である。
【００３２】
図４及び図６に示すように、導風板１５は、空気清浄機１の幅方向（Ｘ軸方向）に沿って配置されている。図１０及び図１１に示すように、導風板１５は、本体筐体１１の内部を前後（前面パネル１１ａ側と背面パネル１１ｂ側と）に仕切る平板部１５ａと、平板部１５ａの上端における前面パネル１１ａ側に形成されたフランジ部１５ｃと、フランジ部１５ｃの下方に連結されてフランジ部１５ｃを補強する複数の補強リブ１５ｂと、を有している。
【００３３】
図１０及び図１１に示すように、補強リブ１５ｂは、空気清浄機１の上下方向（Ｚ軸方向）と幅方向（Ｘ軸方向）とに対してそれぞれ線状に延ばされており、互いに交差する格子状に形成されている。補強リブ１５ｂは、平板部１５ａのＸ軸方向及びＺ軸方向に対して所定の間隔をあけて形成されている。
【００３４】
導風板１５は、図４に示すように、平板部１５ａの上端における前面パネル１１ａ側に形成されたフランジ部１５ｃが、天面パネル１１ｅに当接している。また、補強リブ１５ｂは、フランジ部１５ｃの下方に連結されており、天面パネル１１ｅを支持するフランジ部１５ｃを補強している。導風板１５の下端は、上述のホルダ部１００の上端に支持されており、固定ネジ等の締結部材（図示せず）によって固定されている。また、導風板１５は、平板部１５ａのＸ軸方向における両側が、本体筐体１１の左側面パネル１１ｃ及び右側面パネル１１ｄに固定されて支持されている。
【００３５】
図１２及び図１３に示すように、導風板１５は、平板部１５ａの背面パネル１１ｂ側が平坦面Ｆに形成されている。導風板１５が平坦面Ｆを有することで、通風路１０の一部である導風板１５の背面パネル１１ｂ側において、天面パネル１１ｅの天面吹出口１１ｅ１へ向かう空気の流れが補強リブ１５ｂによって妨げられることが避けられる。また、導風板１５の平坦面Ｆは、通風路１０の空気の流れ方向（Ｚ方向）において、ホルダ部１００の外周面と滑らかに連続して配置されており（図４参照）、通風路１０での空気抵抗の増大が抑えられている。
【００３６】
ここで、平坦面Ｆとは、凹凸が無い面であればよく、平面に限定されるものではなく、天面パネル１１ｅの天面吹出口１１ｅ１へ向かう空気の流れが阻害されることを抑えるように形成されていればよく、曲面として形成されてもよい。例えば、平板部１５ａの背面パネル１１ｂ側は、通風路１０の空気の流れ方向に沿って緩やかに湾曲する曲面として形成されてもよい。また、平板部１５ａの背面パネル１１ｂ側は、ほぼ全体が平坦面Ｆとして形成されることが好ましいが、本体筐体１１の内部構造等に応じて、平坦面Ｆの外周側の一部に膨出部が形成されてもよい。
【００３７】
また、図９及び図１０に示すように、導風板１５は、平板部１５ａの、天面パネル１１ｅに当接するフランジ部１５ｃの長手方向（Ｘ軸方向）において、中央部Ｃ（Ｘ−Ｚ平面での中央部）での補強リブ１５ｂの配置間隔が、両端部Ｅでの補強リブ１５ｂの配置間隔よりも小さくされている。言い換えると、導風板１５は、中央部Ｃで補強リブ１５ｂの配置間隔が密に形成されており、両端部Ｅで補強リブ１５ｂの配置間隔が疎に形成されている。これにより、導風板１５は、左側面パネル１１ｃ及び右側面パネル１１ｄに支持される両端部Ｅに比べて、剛性が低下しやすい中央部Ｃが集中的に補強されるので、補強リブ１５ｂの数量を必要最小限に抑えて強度を確保することができる。その結果、導風板１５の構成の簡素化を図り、導風板１５の成形性の低下が抑えられる。
【００３８】
また、補強リブ１５ｂには、後述する制御部５に接続された配線１６を保持する保持部１５ｄが形成されている。保持部１５ｄは、平板部１５ａとの間に、配線１６を通す間隔をあけて、Ｘ方向に延ばされたＬ字状に形成されている。平板部１５ａと保持部１５ｄとの間に配線１６が通されることで、後述する追加ユニットと配線１６との接触を抑えて、配線１６を保護する機能も有する。
【００３９】
配線１６は、平板部１５ａに沿って保持されることにより、本体筐体１１内での配線１６の移動が抑えられ、配線１６を介した接続状態の信頼性が高められる。配線１６は、例えば、操作部１２及び表示部１３と、後述する制御部５とを電気的に接続している。
【００４０】
また、平板部１５ａの前面パネル１１ａ側には、図１０及び図１１に示すように、本体筐体１１の左側面パネル１１ｃ及び右側面パネル１１ｄにそれぞれ固定される一対のボス部１５ｅが形成されている。ボス部１５ｅは、平板部１５ａの左右方向（Ｘ方向）の両端側における、補強リブ１５ｂと対応する位置にそれぞれ形成されており、固定ネジ等の締結部材（図示せず）が嵌め込まれるネジ穴１５ｆを有する。このようにボス部１５ｅは、平板部１５ａの前面パネル１１ａ側に形成されることにより、通風路１０の空気の流れを妨げることが避けられている。
【００４１】
図４及び図６に示すように、天面パネル１１ｅの前部１１ｅ２の下方には、導風板１５の平板部１５ａの前面パネル１１ａ側に対向して、追加部品（図示せず）が選択的に設けられる空間としての予備空間１７が設けられている。予備空間１７は、導風板１５を間に挟んで通風路１０と隣り合って配置されており、導風板１５によって、予備空間１７側への空気の流れ込みが抑えられている。
【００４２】
追加部品は、例えば、空気清浄機１の仕様に応じて選択的に追加される追加ユニットであり、後述する制御部５（制御ユニットや電源ユニット）等と電気的に接続される。つまり、実施例の空気清浄機１は、追加ユニットを備える別の仕様の空気清浄機と構成が共通化されており、別の仕様の空気清浄機に適用される際、予備空間１７内に追加ユニットが組み込まれる。別の仕様の空気清浄機では、天面パネル１１ｅの前部１１ｅ２が、追加ユニットを介して支持されるように構成することで、天面パネル１１ｅの支持状態の機械的強度を確保しやすい。一方、本実施例の空気清浄機１のように、追加ユニットが追加されない場合には、予備空間１７が空きスペースとなり、天面パネル１１ｅの前部１１ｅ２の機械的強度が低下するので、導風板１５によって支持状態の信頼性を高める効果が大きい。
【００４３】
また、実施例では、天面パネル１１ｅの前部１１ｅ２に、操作部１２及び表示部１３が配置されているので、操作部１２のボタン１２ａの操作時の押込み力や、表示部１３の荷重が前部１１ｅ２に加わりやすく、導風板１５によって天面パネル１１ｅの支持状態の信頼性を高める効果が大きい。
【００４４】
また、本体筐体１１の内部には、図４及び図６に示すように、ホルダ部１００の前面側に、制御部５としての制御ユニット（不図示）と電源ユニット（不図示）が取り付けられている。制御ユニットは、空気清浄機１の各部を電気的に制御する。電源ユニットは、空気清浄機１の各部へ電力を供給する。
【００４５】
また、制御部５は、図４に示すように、天面パネル１１ｅの下方に、天面パネル１１ｅから予備空間１７を隔てて設けられている。これにより、天面パネル１１ｅに加わる外力が制御部５に伝わることが避けられており、特に、天面パネル１１ｅの操作部１２のボタン１２ａ等を操作する押込み力が制御部５に加わることが避けられる。このため、空気清浄機１の使用時の制御部５の耐久性が向上し、制御動作の信頼性が高められる。
【００４６】
また、本体筐体１１の上部は、図１、図３及び図４に示すように、天面パネル１１ｅ側へ向かうにつれて本体筐体１１の開口が広がるように漏斗状に形成された拡大部１１ｇを有している。このため、通風路１０の上部（天面パネル１１ｅ側の端部）の一部は、図４及び図６に示すように、天面パネル１１ｅ側に向かって通風路１０の流路断面が徐々に大きくなるように形成されている。そして、拡大部１１ｇの上端が天面パネル１１ｅに当接することで、天面パネル１１ｅの外周部１１ｅ４を支持している。さらに、この拡大部１１ｇの通風路１０側には、補強リブ１１ｇ１が設けられている。補強リブ１１ｇ１は、空気清浄機１の上下方向（Ｚ軸方向）と幅方向（Ｘ軸方向）とに対してそれぞれ線状に延ばされており、互いに交差する格子状に形成されている。
【００４７】
このような本体筐体１１の上部の形状により、本体筐体１１が高さ方向（Ｚ方向）にストレート状に形成される場合に比べて、天面パネル１１ｅの天面部１１ｅ５が大きく確保されている。そして、通風路１０が徐々に大きくなる拡大部１１ｇに補強リブ１１ｇ１が形成されることで、通風路１０上に形成される補強リブ１１ｇ１による通風抵抗の増大を低減することができる。さらに、天面パネル１１ｅの外周部１１ｅ４が、補強リブ１１ｇ１を備える拡大部１１ｇによって支持されることにより、天面パネル１１ｅの支持状態の信頼性が高められる。
【００４８】
上述した実施例の空気清浄機１は、本体筐体１１の上部に天面パネル１１ｅが設けられ、天面パネル１１ｅの背面パネル１１ｂ側に天面吹出口１１ｅ１を有している。天面パネル１１ｅの下方には、空気清浄部で清浄化された空気を天面吹出口１１ｅ１へ導く導風板１５が設けられ、導風板１５は、本体筐体１１の内部を前後に仕切る平板部１５ａと、平板部１５ａの上端における前面パネル１１ａ側に形成されたフランジ部１５ｃと、フランジ部１５ｃの下方に連結されてフランジ部１５ｃを補強する補強リブ１５ｂとを有する。そして、天面パネル１１ｅは、導風板１５のフランジ部１５ｃに当接して支持されている。これにより、補強リブ１５ｂによって天面パネル１１ｅの支持状態の信頼性を高めることができる。よって、天面パネル１１ｅの支持状態の機械的強度、本体筐体１１の剛性を高めることができる。
【００４９】
また、平板部１５ａの背面パネル１１ｂ側が平坦面Ｆに形成されることで、平坦面Ｆによって天面パネル１１ｅ側へ送られる空気の流動抵抗の増大を抑えることができる。
【００５０】
また、本体筐体１１の内部が、導風板１５の平板部１５ａによって前面パネル１１ａ側と背面パネル１１ｂ側とに仕切られることで、通風路１０を流れて天面吹出口１１ｅ１へと導かれる空気が、本体筐体１１内の前面パネル１１ａ側へ回り込むことが抑えられ、天面吹出口１１ｅ１から空気を吹き出す効率の低下を抑えることができる。
【００５１】
また、実施例の空気清浄機１において、天面パネル１１ｅの前部１１ｅ２の下方には、導風板１５の平板部１５ａの前面パネル１１ａ側に対向して、追加ユニットが選択的に設けられる予備空間１７が設けられている。特に、予備空間１７に追加ユニットが設けられない場合、空きスペースになる予備空間１７を有することで、天面パネル１１ｅの支持状態における機械的強度の低下を招くので、導風板１５によって天面パネル１１ｅの支持状態の信頼性を高める効果が大きい。
【００５２】
また、実施例の空気清浄機１が有する制御部５は、天面パネル１１ｅの下方に、天面パネル１１ｅから予備空間１７を隔てて設けられている。これにより、天面パネル１１ｅに加わる外力が制御部５に伝わることを避けることができる。その結果、制御部５の耐久性を向上することができるので、制御動作の信頼性を高めることができる。特に、天面パネル１１ｅに操作部１２が設けられた場合、操作部１２を操作する外力が制御部５へ加わることを避けることができる。
【００５３】
また、実施例の空気清浄機１が有する導風板１５の補強リブ１５ｂには、配線１６を保持する保持部１５ｄが形成されている。これにより、空気清浄機１の構成部材と配線１６とが接触することが抑えられ、配線１６の接続状態の信頼性を高めることができる。
【００５４】
また、実施例の空気清浄機１が有する導風板１５は、本体筐体１１に固定されるボス部１５ｅを有し、ボス部１５ｅが、平板部１５ａの前面パネル１１ａ側に形成されている。これにより、ボス部１５ｅによって通風路１０の空気抵抗が増加することを抑えることができる。
【００５５】
また、実施例の空気清浄機１の本体筐体１１は、天面パネル１１ｅ側に向かうにつれて本体筐体１１の開口が広がるように形成された拡大部１１ｇを有している。そして、通風路１０が徐々に大きくなる拡大部１１ｇに補強リブ１１ｇ１が形成されることで、通風路１０上に形成される補強リブ１１ｇ１による通風抵抗の増大を低減することができる。さらに、天面パネル１１ｅの外周部１１ｅ４が、補強リブ１１ｇ１を備える拡大部１１ｇによって支持されることにより、天面パネル１１ｅの支持状態の信頼性が高められる。
【００５６】
また、実施例の空気清浄機１の天面パネル１１ｅには、導風板１５の平板部１５ａが挟み込まれる凹部１１ｅ７が設けられている。これにより、本体筐体１１及び天面パネル１１ｅに対して導風板１５を容易に位置決めすると共に、導風板１４によって天面パネル１１ｅを支持する支持状態の信頼性を高めることができる。
【００５７】
また、実施例の空気清浄機１が有する導風板１５は、平板部１５ａの、天面パネル１１ｅに当接するフランジ部１５ｃの長手方向（Ｘ軸方向）において、中央部Ｃでの補強リブ１５ｂの配置間隔が、両端部Ｅでの補強リブ１５ｂの配置間隔よりも小さい。これにより、導風板１５は、本体筐体１１に支持される両端部Ｅに比べて、剛性が低下しやすい中央部Ｃを集中的に補強することで、補強リブ１５ｂの数量を必要最小限に抑えることができる。その結果、導風板１５の構成を簡素化し、導風板１５の成形性の低下を抑えることができる。
【符号の説明】
【００５８】
１  空気清浄機
５  制御部
１０  通風路
１１  本体筐体（筐体）
１１ａ  前面パネル（前面部）
１１ｂ  背面パネル（背面部）
１１ａ１  前面吸込口（空気吸込口）
１１ｂ１  左側面吹出口（空気吹出口）
１１ｂ２  右側面吹出口（空気吹出口）
１１ｅ  天面パネル（天板）
１１ｅ１  天面吹出口（空気吹出口）
１１ｅ２  前部
１１ｅ３  後部
１１ｅ４  外周部
１１ｅ５  天面部
１１ｅ６  補強リブ
１１ｅ７  凹部
１１ｇ  拡大部
１１ｇ１  補強リブ
１２  操作部
１５  導風板
１５ａ  平板部
１５ｂ  補強リブ
１５ｃ  フランジ部
１５ｄ  保持部
１５ｅ  ボス部
Ｃ  中央部
Ｅ  両端部
Ｆ  平坦面
１６  配線
１７  予備空間（空間）
２２  集塵ユニット（空気清浄部）
２３  脱臭ユニット（空気清浄部）
２５  送風機
【図１】
2019174037.tif 000003
【図２】
2019174037.tif 000004
【図３】
2019174037.tif 000005
【図４】
2019174037.tif 000006
【図５】
2019174037.tif 000007
【図６】
2019174037.tif 000008
【図７】
2019174037.tif 000009
【図８】
2019174037.tif 000010
【図９】
2019174037.tif 000011
【図１０】
2019174037.tif 000012
【図１１】
2019174037.tif 000013
【図１２】
2019174037.tif 000014
【図１３】
2019174037.tif 000015